(57)【要約】      （修正有）【課題】軽量コンパクトで使い勝手の良い頭部装着型デバイスを提供する。【解決手段】頭部装着型デバイス１００は、装着時に、ユーザの眉の近傍を通り延びるように配置される眉部１ａ、および、眉部に接続され、ユーザのこめかみ近傍を通りユーザの耳に向けて延びるように配置されるアーム１ｂを有するフレーム１と、フレームに支持された電気機器５と、電気機器に接続された配線３とを備え、配線３は、フレーム１のアーム１ｂに沿って着脱可能に保持されている。【選択図】図１
2017037225.tif 000002
【特許請求の範囲】
【請求項１】
装着時に、ユーザの眉の近傍を通って延びるように配置される眉部、および、前記眉部に接続され、前記ユーザのこめかみ近傍を通って前記ユーザの耳に向けて延びるように配置されるアームを有するフレームと、
前記フレームに支持された電気機器と、
前記電気機器に接続された配線と
を備え、
前記配線が、前記フレームの前記アームに沿って着脱可能に保持されている、頭部装着型デバイス。
【請求項２】
前記フレームの前記アームは、前記アームが延びる方向に沿って延びる溝を有し、前記配線は前記溝に嵌め込まれている、請求項１に記載のデバイス。
【請求項３】
前記眉部の両端部のそれぞれに前記アームが対をなして接続されており、
前記対をなすアームのそれぞれに、前記電気機器に接続された一対の配線のそれぞれが着脱可能に保持されている、請求項１または２に記載のデバイス。
【請求項４】
前記眉部の両端部のそれぞれに前記アームが対をなして接続されており、
前記対をなすアームの一方のみに、前記電気機器に接続された一対の配線が着脱可能に保持されている、請求項１または２に記載のデバイス。
【請求項５】
前記一対の配線を絶縁しながら一体的に覆う配線被覆をさらに有し、前記一対の配線は前記配線被覆に覆われた状態で前記フレームに着脱可能に保持されている、請求項４に記載のデバイス。
【発明の詳細な説明】
【技術分野】
【０００１】
本発明は、頭部装着型デバイス（a head-worn device）に関する。
【背景技術】
【０００２】
近年、ヘッドマウントディスプレイなどの頭部装着型デバイスの開発が積極的に進められている。ヘッドマウントディスプレイとしては、搭載された表示素子が形成する虚像を外界の風景に重畳させて表示するように構成された、眼鏡型のウェアラブル端末が知られている。このような眼鏡型のウェアラブル端末を用いれば、ＡＲ（拡張現実）環境を容易に提供することができる。
【０００３】
また、頭部装着型デバイスとしては、電気活性眼鏡も知られている。電気活性眼鏡は、レンズの光学特性を電気的に制御することができる眼鏡型ウェアラブルデバイスである（例えば特許文献１）。さらに、ライト付きヘッドルーペや、３Ｄ映像観察用の液晶シャッター付き眼鏡など、種々の態様の頭部装着型デバイスが知られている。本明細書では、電気機器（例えば照明機器、表示機器、各種センサなど）を備え、頭部に着用されるように構成されているデバイスを広く、頭部装着型デバイスと称する。
【先行技術文献】
【特許文献】
【０００４】
【特許文献１】特開２０１０−１４１８６１号公報
【特許文献２】特許第５７２９８７８号
【発明の概要】
【発明が解決しようとする課題】
【０００５】
頭部装着型デバイスは、身体の中でも頭に装着するデバイスであるので、特にコンパクトな形態であることが望まれる。ヘッドマウントディスプレイにおいて、外部から映像信号を受け取るためのケーブルが接続されていることがあるが、例えばケーブルの配線経路が適切に形成されていない場合、使用時に髪の毛が絡んだり、装着具合を調整するときに不用意に指をひっかけてしまったりするおそれがある。
【０００６】
特許文献２には、目の横の位置に配置される表示素子から延びるケーブルを、眼鏡のテンプル（つる、アーム）の任意の位置まで這わせてから自由にするための保持機構を備えたヘッドマウントディスプレイが開示されている。
【０００７】
ただし、特許文献２に記載の構成では、テンプルに沿わせてケーブルを保持するための保持機構を別途設けているため、コンパクト性が重要なウェアラブル機器であるにも関わらず、全体のサイズが大きく、また、重たくなり、このために、使用時の快適さが損なわれるという問題があった。
【０００８】
また、特許文献２に記載の構成では、保持機構によりケーブルをフレームに固定的に取り付けているため、ケーブル交換などを容易に行い難く、利便性が低下する場合があった。
【０００９】
本発明は、上記問題を鑑みてなされたものであり、使用中に配線が邪魔にならない軽量コンパクトな構成の頭部装着型デバイスを提供することを主な目的とする。
【課題を解決するための手段】
【００１０】
本発明の実施形態による頭部装着型デバイスは、装着時に、ユーザの眉の近傍を通って延びるように配置される眉部、および、前記眉部に接続され、前記ユーザのこめかみ近傍を通って前記ユーザの耳に向けて延びるように配置されるアームを有するフレームと、前記フレームに支持された電気機器と、前記電気機器に接続された配線とを備え、前記配線が、前記フレームの前記アームに沿って着脱可能に保持されている。
【００１１】
ある実施形態において、前記フレームの前記アームは、前記アームが延びる方向に沿って延びる溝を有し、前記配線は前記溝に嵌め込まれている。
【００１２】
ある実施形態において、前記眉部の両端部のそれぞれに前記アームが対をなして接続されており、前記対をなすアームのそれぞれに、前記電気機器に接続された一対の配線のそれぞれが着脱可能に保持されている。
【００１３】
ある実施形態において、前記眉部の両端部のそれぞれに前記アームが対をなして接続されており、前記対をなすアームの一方のみに、前記電気機器に接続された一対の配線が着脱可能に保持されている。
【００１４】
ある実施形態において、前記一対の配線を絶縁しながら一体的に覆う配線被覆をさらに有し、前記一対の配線は前記配線被覆に覆われた状態で前記フレームに着脱可能に保持されている。
【００１５】
ある実施形態において、前記フレームの前記眉部は、前記眉部が延びる方向に沿って延びる溝を有し、前記配線は前記眉部の溝に嵌め込まれている。
【００１６】
本発明の実施形態による頭部装着型デバイスは、装着時に、ユーザの眉の近傍を通って延びるように配置される眉部、および、前記眉部に接続され、前記ユーザのこめかみ近傍を通って前記ユーザの耳に向けて延びるように配置されるアームを有するフレームと、前記フレームに支持された電気機器とを備え、前記眉部および前記アームの少なくとも一部は導電性を有し、前記導電性を有する部分が前記電気機器と電気的に接続されている。
【００１７】
ある実施形態において、前記アームは、互いに絶縁された第１の導電性部分と第２の導電性部分とを有し、前記第１の導電性部分と第２の導電性部分とは前記アームの延びる方向に沿って延びている。
【００１８】
ある実施形態において、前記第１の導電性部分はプラス配線に対応づけられ、前記第２の導電性部分はマイナス配線に対応付けられている。
【００１９】
ある実施形態において、前記アームは、互いに絶縁された第３の導電性部分と第４の導電性部分とを有し、前記第３の導電性部分と第４の導電性部分とは、前記第１の導電性部分および前記第２の導電性部分とは別の系統の配線として用いられる。
【００２０】
ある実施形態において、前記電気機器は、照明機器、表示機器またはセンサのいずれかである。
【００２１】
ある実施形態において、前記フレームに支持され、装着時に前記ユーザの眼前に配置可能な透光性板部材をさらに備え、前記電気機器は照明機器である。
【００２２】
ある実施形態において、前記アームは、前記ユーザの耳の近傍に配置される自由端を有し、前記自由端の近傍においてフレームによって支持されたバッテリをさらに備える。
【発明の効果】
【００２３】
本発明の実施形態によれば、軽量コンパクトな構成を有する、装着感に優れた頭部装着型デバイスが提供される。
【図面の簡単な説明】
【００２４】
【図１】本発明の実施形態１による頭部装着型デバイス（ライト付き眼鏡型ルーペ）を示す斜視図である。
【図２】図１に示すＸ断面に対応する断面図であり、（ａ１）、（ａ２）は、ある実施態様における配線保持前、保持後の断面を示し、（ｂ１）、（ｂ２）、は、別の実施態様における配線保持前、保持後の断面を示し、（ｃ１）、（ｃ２）、（ｄ１）、（ｄ２）、（ｅ１）、（ｅ２）、（ｆ１）、（ｆ２）はさらに別の実施態様における配線保持前、保持後の断面を示す。
【図３】本発明の実施形態２による頭部装着型デバイスを示す斜視図である。
【図４】図３に示すＸ断面に対応する断面図であり、（ａ１）、（ａ２）は、ある実施態様における配線保持前、保持後の断面を示す。
【図５】本発明の実施形態３による頭部装着型デバイスを示す斜視図である。
【図６】図５に示すＸ断面に対応する断面図であり、（ａ１）、（ａ２）は、ある実施態様における配線保持前、保持後の断面を示す。
【図７】本発明の実施形態４による頭部装着型デバイスを示す斜視図である。
【図８】図７に示すＹ部分を拡大して示す図であり、（ａ）は平面図、（ｂ）は断面図である。
【図９】図７に示した実施形態４の頭部装着型デバイスにおいて、ライトをフレームに固定する構造の一例を説明するための図であり、（ａ）は側面図、（ｂ）は接続部の平面図、（ｃ）はフレーム接続部材とライト接続部材との接続の一態様を示す断面図である。
【図１０】本発明の実施形態５による頭部装着型デバイスを示す図であり、（ａ）は斜視図、（ｂ）は（ａ）に示すＸ断面に対応する断面図である。
【図１１】実施形態５の頭部装着型デバイスにおいて、ライトとフレームとの接続形態の一例を示す図であり、（ａ）は正面図、（ｂ）は（ａ）に示す破線に沿った断面図である。
【図１２】本発明の実施形態５の変形例による頭部装着型デバイスを示す斜視図であり、（ａ）および（ｂ）はそれぞれ別の変形例を示す。
【図１３】本発明の実施形態６の頭部装着型デバイスを示す図であり、（ａ）は斜視図、（ｂ）および（ｃ）はそれぞれ別の態様における、フレーム断面（（ａ）のＸ断面）を示す図である。
【図１４】本発明のその他の種々の実施形態（実施形態７）による頭部装着型デバイスを示す斜視図であり、（ａ）〜（ｄ）はそれぞれ別の態様を示す。
【発明を実施するための形態】
【００２５】
以下、図面を参照しながら、本発明の実施形態による頭部装着型デバイスを説明する。以下には、頭部装着型デバイスの一例として、ライト付き眼鏡型ルーペの構成を説明する。ただし、本発明は以下に説明する実施形態に限られるものではない。
【００２６】
（実施形態１）
図１は、実施形態１のライト付き眼鏡型ルーペ１００の構成を模式的に示す斜視図である。ライト付き眼鏡型ルーペ１００（以下、眼鏡型ルーペと称することがある）は、フレーム１と、フレーム１に取り付けられたライト（照明機器）５およびルーペ７と、ライト５に接続された配線３とを備えている。
【００２７】
配線３は、眼鏡型ルーペ１００の外部に用意されたバッテリ９と、眼鏡型ルーペ１００に支持されたライト５とを接続し、ライト５に電力を供給するために用いられる導電線である。配線３には、プラス配線３ａとマイナス配線３ｂとが含まれており、プラス配線３ａおよびマイナス配線３ｂは、バッテリ９のプラス端子およびマイナス端子にケーブル３ａ’、３ｂ’を介してそれぞれ接続されている。バッテリ９と配線３との間に設けられるケーブル３ａ’、３ｂ’は、プラス配線３ａおよびマイナス配線３ｂと一体的な導線であっても良いし、プラス配線３ａおよびマイナス配線３ｂの端部に接続される、別途設けられた導線であってもよい。
【００２８】
眼鏡型ルーペ１００のフレーム１は、装着時に、ユーザ（図示せず）の眉の近傍を通り顔の前方で水平方向に延びるように配置される眉部１ａと、ユーザのこめかみ近傍を通り耳に向けて顔の側方で水平方向に延びるように配置される一対のアーム１ｂとを有している。
【００２９】
アーム１ｂは、眉部１ａの両端部（眼鏡におけるヨロイ部分）においてそれぞれ接続されている。アーム１ｂは、蝶番などによって眉部１ａに対して折り畳み可能に接続されていてもよいし、眉部１ａと一体的に形成されていてもよい。
【００３０】
また、眉部１ａに接続された側とは反対側のアーム１ｂの端部は自由端を形成している。ユーザは、アーム１ｂの自由端を耳で支持するような態様で、眼鏡型ルーペ１００を頭部に装着することができる。なお、アーム１ｂの自由端は、図１に示すような直線状の形状に限らず、一般的な眼鏡と同様に、耳にフィットしやすい曲線状の形状を有していてもよい。
【００３１】
本実施形態において、フレーム１は、電気的な絶縁性が良好な材料によって形成されていることが好適である。フレーム１の材料として、例えば、アセテートやセルロイドなどの合成繊維素材やその他の樹脂材料などを用いることができる。フレーム１は、人体に直接触れる部品であるため、人体への影響がない素材を選択することが望ましい。フレーム１の材料としては、樹脂材料以外に、チタン合金などの導電性の低い合金材料を用いてもよい。配線３が絶縁性材料によって被覆されている場合には、フレーム１を任意の金属材料から形成することも可能である。さらに、フレーム１は、表面が樹脂材料で覆われた金属材料によって形成されていてもよいし、木や竹、動物の皮や角などの天然素材を用いて形成されていてもよい。
【００３２】
眉部１ａとアーム１ｂとは異なる材料から形成されていてもよく、例えば、眉部１ａを樹脂材料から形成し、アーム１ｂを合金材料から形成してもよい。ただし、強度を向上させるという観点からは、眉部１ａとアーム１ｂとを含むフレーム１を一体的に形成することが好適である。
【００３３】
本実施形態では、フレーム１の眉部１ａの中央部あたり（装着時にユーザの眉間に対応する位置）に、ライト５が取り付けられている。ライト５としては、ＬＥＤ、白熱球などの光源を備える種々の公知の照明機器を用いることができる。
【００３４】
ライト５として、作業性向上のために作業面を均一に照射できるライトを用いることが好ましい場合が多い。このようなライト５としては、面光源からの光を、近接配置された２枚のレンズを介して出射させることによって照度の均一性を向上させるように構成した照明機器（均一照明）を用いることができ、例えば、国際公開第２０１４／０１７２６２号および国際公開第２０１４／０１７６５２号に開示されている。均一照明は、例えば、ＬＥＤから発せられた光を、小径のメニスカスレンズおよび大径の平凸レンズを通して出射させるように構成されている。
【００３５】
ライト５は、種々の態様でフレーム１の眉部１ａに支持されていてよい。ライト５は、照射方向を調節できるように、ヘッドライトなどに適用されている公知の種々の角度調整機構を介して眉部１ａに支持されていてよい。
【００３６】
フレーム１の眉部１ａには、透光性の板部材から形成されたルーペ７が取り付けられている。ルーペ７の表面には、レンズ面が設けられており、これによって、ユーザはルーペ７越しに拡大された像を観察することができる。
【００３７】
ルーペ７は、眉部１ａに対して移動不能に固定されていてもよいし、あるいは、摺動可能または旋回可能に支持されていてもよい。ルーペ７とフレーム１との固定・支持形態は特に限定されない。また、ルーペ７としては、図示するような板状の透光性部材に限られず、例えば、両目の位置に配置可能に構成された一対の筒状または円盤状のルーペを用いることもできる。また、ルーペ７は用途によって取り換え可能であってもよく、ユーザが望む任意の倍率に変更することができる。
【００３８】
ライト付き眼鏡型ルーペ１００は、他の種々の部材を含んでいても良いことは言うまでもない。例えば、他の一般的な眼鏡と同様に、フレーム１またはルーペ７に固定されたノーズパッドを備えていてもよい。ノーズパッドは、装着時にユーザの鼻と当接するように設けられ、鼻において眼鏡型ルーペ１００が支持される。これにより、装着の安定性を向上させることができる。
【００３９】
本実施形態のライト付き眼鏡型ルーペ１００において、ライト５から延びる配線３は、フレーム１に沿って這わされるように保持されている。より具体的には、配線３は、ライト５からフレーム１の眉部１ａに沿って延び、さらに、アーム１ｂに沿って自由端まで延びるように保持されている。そして、アーム１ｂの自由端からはフリーにされている。本実施形態では、プラス配線３ａとマイナス配線３ｂとは、ライト５の背後から両側に分かれて眉部１ａに沿ってそれぞれ延び、さらに、別々のアーム１ｂのそれぞれに沿って延びるようにして保持されている。
【００４０】
以下、図２を参照しながら、プラス配線３ａとマイナス配線３ｂとをアーム１ｂに保持させる態様について説明する。
【００４１】
図２（ａ１）および（ａ２）は、プラス配線３ａをアーム１ｂに着脱可能に保持させる態様を説明するための断面図（図１に示すＸ断面に対応）である。同様に、図２（ｂ１）および（ｂ２）は、プラス配線３ａをアーム１ｂに着脱可能に保持させる別の態様を説明するための断面図である。
【００４２】
図２（ａ１）、（ａ２）、（ｂ１）、（ｂ２）に示すように、アーム１ｂの外側表面には、アーム１ｂの延びる方向に沿って延びる溝１Ｇが設けられている。溝１Ｇは、図２（ａ１）、（ａ２）に示すように、断面矩形状であっても良いし、図２（ｂ１）、（ｂ２）に示すように、断面半球状であってもよい。溝１Ｇは、保持される配線３ａの断面形状に応じて、適合する形状に設けられる。図２（ａ１）、（ａ２）に示す形態では、フラットケーブルである配線３ａに適合するように溝１Ｇの形状が規定され、図２（ｂ１）、（ｂ２）に示す形態では、丸ケーブルである配線３ａに適合するように溝１Ｇの形状が規定されている。
【００４３】
図２（ａ１）、（ｂ１）に示すように、本実施形態では、アーム１ｂの溝１Ｇの外側に配置した配線３ａを、図２（ａ２）、（ｂ２）に示すように溝１Ｇ内に押圧して嵌め込むことによってアーム１ｂに保持させる。溝１Ｇのサイズ（断面積）は、配線３のサイズ（外径）よりもわずかに小さくなるように設定されている。なお、溝１Ｇの断面形状は矩形、半球に限定されない。例えば、より強固に配線を保持させるために、図2（ｃ１）、（ｃ２）、（ｄ１）、（ｄ２）に示すように、開口部よりも幅広の部分を奥側に有し、配線３のより大部分を覆うように形成された溝であってもよい。
【００４４】
また、配線3は、フラットケーブル、丸ケーブルに限定されない。例えば、図２（ｅ１）、（ｅ２）に示すように、溝１Gにはめ込む部分とアーム１ｂを覆う部分とで大きさが異なるＴ字型ケーブルであってもよい。また、アーム１ｂの断面形状も、上記に説明したような概ね矩形状の態様に限られず、図２（ｆ１）および（ｆ２）に示すように、配線3を保持する溝１Ｇの周囲で厚く、端部で薄い形状であってもよい。このよう構成では、配線3を保持する力を低下させることなく、フレーム全体の重量を軽くすることができる。
【００４５】
本実施形態では、配線３は絶縁性の被膜によって覆われており、被覆は弾性変形可能である。したがって、被覆の弾性変形を利用して溝１Ｇに配線３を押し込めば、被覆の復元力によって溝１Ｇに配線３は保持され得る。ただし、溝１Ｇから配線３を脱離させるように（すなわち、フレーム１と配線３とを分離させるように）強い力で配線３を引っ張れば、配線３を溝１Ｇから比較的容易に取り外すことができる。なお、その他の部分に比べて特に狭い幅を有する部分を溝１Ｇの一部に設けておくことによって、その部分で特に強く配線を保持させることができる。例えば、アーム１ｂの自由端部分と、アーム１ｂと眉部１ａとの接続部近傍で溝の幅を狭くすることにより、配線取り外し時にはこの２点において配線を強い力で取り外せば、残りの配線は比較的弱い力で取り外せるように構成しておくこともできる。
【００４６】
また、溝１Ｇからの配線３の意図しない脱離を防止するために、例えばアーム１ｂの自由端近傍などにおいて留め機構（クリップなど）が設けられていても良い。留め機構は恒久的に配線３をアーム１ｂに留め付けるためものではなく、所望に応じて配線３をアーム１ｂから外すことが可能なように（すなわち、配線３をアーム１ｂに一時的に留め付けるように）構成されている。留め機構は、フレームと一体的に設けられても良いし、別個の部材として設けられてもよい。
【００４７】
配線３とフレーム１とは、これらの接触面に再剥離可能な粘着性材料を付与することによって、着脱可能に保持させる態様であってもよい。もちろん、粘着性材料による保持と、溝への嵌め込みによる保持とを組み合わせて行う態様であってもよい。
【００４８】
なお、配線３は、アーム１ｂの自由端までアーム１ｂの全体にわたって保持されていなくてもよい。例えば、アーム１ｂの自由端近傍の所定の領域では、アーム１ｂに溝１Ｇが設けられておらず、配線３がアーム１ｂに拘束されないように構成されていてもよい。ただし、配線３はユーザの耳の後ろから自由状態にされることが好適である。この観点から、配線３は、アーム１ｂの例えば８０％以上、より具体的には９０％以上の部分で、アーム１ｂに着脱可能に保持されていることが好適である。
【００４９】
配線３を覆う絶縁被覆の材料は、絶縁性や柔軟性を考慮して、公知の材料から任意に選択されてよい。絶縁被覆の材料としては、例えば、ポリウレタン、ポリエステル、ポリエステル−ナイロン、ポリエステル−イミド、塩化ビニール系材料、ゴム系材料、フッ素樹脂などが挙げられる。また、配線３を構成する導電線の材料としては、銅、銀、アルミニウムなどが挙げられる。
【００５０】
なお、上記には片側のアーム１ｂにプラス配線３ａを保持させる態様を説明したが、他方のアーム１ｂにマイナス配線３ｂを保持させる場合にも、上記と同様の態様が適用される。
【００５１】
以上、実施形態１のライト付き眼鏡型ルーペ１００について説明したが、眼鏡型ルーペ１００では、配線３がフレーム１（眉部１ａおよびアーム１ｂ）に沿って保持されており、使用時に配線３が視界に入らないので使用性が高い。また、大掛かりな配線保持部材を用いておらず、軽量コンパクトに構成されているので、装着感に優れる。また、フレームを眉部と一体的に形成することも可能な構成であり、物理強度を高くすることができる。なお、図１に示した眼鏡型ルーペ１００と接続されるバッテリ９は、ユーザの腰または首の後ろなどに装着できるように構成されていてよい。
【００５２】
さらに、配線３がフレーム１に着脱可能に保持されているので、ライト５をフレームから取り外して使用したり、ライト５を別のものに取り換えたり、ライト以外の別の機能を有する電気機器に取り換えたりすることも、配線がフレームに固定されている場合に比べて容易に行うことができる。また、視覚的な観点からは、配線の色を変えることによって見た目を変更することが容易であり、ユーザの好みに適合する高いファッション性を提供することができる。
【００５３】
なお、ライト５にスイッチが設けられていると、切り替えの際に、ライト５やフレーム１がずれる可能性がある。このため、スイッチは例えばバッテリ９に取り付けられていてよい。なお、ライト５に近接センサを組み込み、手で触れずにオンオフの切り替えを行えるように構成してもよい。この場合、手を触れることなくオンオフを制御できるので、手に付着した汚れなどを気にせず切り替えを行うことができる。
【００５４】
（実施形態２）
図３は、実施形態２の眼鏡型ルーペ１２０を示す斜視図である。本実施形態の眼鏡型ルーペ１２０は、装着時に、ユーザの眉の近傍を通り顔の前方で水平方向に延びるように配置される眉部２１ａと、ユーザのこめかみ近傍を通り耳に向けて顔の側方で水平方向に延びるように配置される一対のアーム２１ｂとを含むフレーム２１を備えている。
【００５５】
フレーム２１には、実施形態１のルーペ１００と同様に、ライト５およびルーペ７が取り付けられている。ライト５およびルーペ７は、実施形態１の眼鏡型ルーペ１００と同様の形態で、フレーム２１にそれぞれ取り付けられていてよい。
【００５６】
本実施形態において、ライト５から延びるプラス配線２３ａおよびマイナス配線２３ｂの双方（双方を単に配線２３と称する場合がある）が、フレーム２１の一方のアーム２１ｂに沿って保持されている。このために、一方のアーム２１ｂには、プラス配線２３ａを保持させるための溝１Ｇａと、マイナス配線２３ｂを保持させるための溝１Ｇｂとが設けられている。一方で、他方のアーム２１ｂには溝は設けられていない。ただし、他の態様において、他方のアーム２１ｂにも溝が設けられていても良い。これにより、用途に応じて配線２３を左右いずれのアーム２１ｂに保持させるかを選択することが可能になり、多様な使用形態に対応させることができる。
【００５７】
また、本実施形態では、眉部２１ａの一部または全部に、上記アーム２１ｂに設けられた２本の溝１Ｇａ、１Ｇｂと同様の２本の溝が設けられていてよい。眉部２１ａに設けられた溝には、例えば眉部中央に配されたライト５からアーム２１ｂまでの配線２３が着脱可能に保持される。
【００５８】
図４（ａ１）および（ａ２）は、図３に示すＸ断面に対応し、プラス配線２３ａおよびマイナス配線２３ｂをアーム２１ｂに着脱可能に保持させる態様を説明するための断面図である。
【００５９】
図４（ａ１）、（ａ２）に示すように、アーム２１ｂにおいて間隔を空けて平行に延びるように設けられた２本の溝１Ｇａ、１Ｇｂに、プラス配線２３ａとマイナス配線２３ｂとをそれぞれ嵌め込む。これによって、プラス配線２３ａとマイナス配線２３ｂとを一方のアーム２１ｂにおいて分離して保持させることができる。溝１Ｇａ、１Ｇｂは、図４（ａ１）、（ａ２）に示すように、フラットケーブルに適合する断面矩形状の溝であっても良いし、断面半球状など他の形状の溝であってもよい。溝１Ｇは、実施形態１と同様に、取り付けられる配線２３の断面形状に応じて、適合する種々の形状に設けられる。
【００６０】
このようにフレーム２１の片側のアーム２１ｂにプラス配線２３ａとマイナス配線２３ｂとを保持させる態様では、片側のアーム２１ｂの自由端から、プラス配線２３ａおよびマイナス配線２３ｂに接続された２本のケーブルが外側にまとまって配される。このため、外側のケーブルをまとめやすく、配線２３と外部のバッテリ（図示せず）との接続をより簡単に行い得る。
【００６１】
以上、実施形態２のライト付き眼鏡型ルーペ１２０について説明したが、眼鏡型ルーペ１２０においても、実施形態１のルーペ１００と同様に、配線２３が視界に入らず、軽量コンパクトに構成されているので使用性に優れる。また、配線が着脱可能であるので、多様な使用形態を容易に実現できる。また、配線の色を変えることによって見た目を簡単に変更することができる。
【００６２】
（実施形態３）
図５は、実施形態３の眼鏡型ルーペ１３０を示す斜視図である。本実施形態の眼鏡型ルーペ１３０は、装着時に、ユーザの眉の近傍を通り顔の前方で水平方向に延びるように配置される眉部３１ａと、ユーザのこめかみ近傍を通り耳に向けて顔の側方で水平方向に延びるように配置される一対のアーム３１ｂとを含むフレーム３１を備えている。
【００６３】
また、フレーム３１には、実施形態１のルーペ１００と同様に、ライト５およびルーペ７が取り付けられている。ライト５およびルーペ７は、実施形態１の眼鏡型ルーペ１００と同様の形態で、フレーム３１にそれぞれ取り付けられていてよい。
【００６４】
本実施形態において、ライト５から延びるプラス配線３３ａおよびマイナス配線３３ｂ（双方を単に配線３３と称する場合がある）は、これらを絶縁しながら一体的に保持する配線被覆３５（図６（ａ１）および（ａ２）参照）によってまとめて被覆されている。
【００６５】
配線被覆３５は、実施形態１において各配線３ａ、３ｂを覆う絶縁性の被覆と同様に、絶縁性や柔軟性を考慮して、公知の任意の材料から形成されていてよい。配線被覆３５の材料としては、例えば、ポリウレタン、ポリエステル、ポリエステル−ナイロン、ポリエステル−イミド、塩化ビニール系材料、ゴム系材料、フッ素樹脂などが挙げられる。
【００６６】
このように配線被覆３５によって絶縁状態で一体的に覆われたプラス配線３３ａおよびマイナス配線３３ｂは、フレーム３１の一方のアーム３１ｂに沿って保持される。具体的には、一方のアーム３１ｂに沿って形成された溝１Ｇにおいて、プラス配線３３ａおよびマイナス配線３３ｂが配線被覆３５ごと（すなわち配線被覆３５によって一体的に覆われた状態で）着脱可能に保持されている。なお、実施形態２と同様に、上記配線を保持するアームとは別の他方のアーム３１ｂには溝が設けられている必要はないが、多様な使用目的に対応させるため、または、ファッション性を高めるために、両方のアーム３１ｂに溝が設けられていても良い。
【００６７】
図６（ａ１）および（ａ２）は、図５に示すＸ断面に対応し、プラス配線３３ａおよびマイナス配線３３ｂをアーム３１ｂに着脱可能に保持させる態様を説明するための断面図である。
【００６８】
図６（ａ１）、（ａ２）に示すように、アーム３１ｂに設けられた溝１Ｇに、プラス配線３３ａとマイナス配線３３ｂとをまとめて被覆する配線被覆３５を押圧により嵌め込む。これによって、プラス配線３３ａとマイナス配線３３ｂとを、配線被覆３５の内側で絶縁しながら、片側のアーム３１ｂに保持させることができる。
【００６９】
溝１Ｇは、図６（ａ１）、（ａ２）に示すように、断面矩形状であっても良いし、断面半球状など他の形状であってもよい。溝１Ｇは、実施形態１と同様に、取り付けられる配線３３（ここでは配線服３５を含む）の断面形状に応じて、適合する形状に設けられる。
【００７０】
以上、実施形態３のライト付き眼鏡型ルーペ１３０について説明したが、眼鏡型ルーペ１３０においても、実施形態１のルーペ１００と同様に、配線３３が視界に入らず、軽量コンパクトに構成されているので使用性に優れる。また、配線が着脱可能であるので、多様な使用形態を容易に実現できる。また、配線の色を変えることによって見た目を簡単に変更することができる。
【００７１】
（実施形態４）
図７は、実施形態４の眼鏡型ルーペ１４０を示す斜視図である。本実施形態の眼鏡型ルーペ１４０は、装着時に、ユーザの眉の近傍を通り顔の前方で水平方向に延びるように配置される眉部４１ａ、４１ｂと、ユーザのこめかみ近傍を通り耳に向けて顔の側方で水平方向に延びるように配置される一対のアーム４３ａ、４３ｂとを含むフレーム４１を備えている。
【００７２】
また、フレーム４１には、実施形態１のルーペ１００と同様に、ライト５およびルーペ７が取り付けられている。ライト５およびルーペ７を取り付ける形態については後述する。
【００７３】
本実施形態において、フレーム４１の少なくとも一部が導電性の材料から形成されており、これがライト５の配線として機能する。より具体的には、本実施形態では、ライト５を中心として、右側の眉部４１ａおよび右側アーム４３ａが導電性の材料から一体的に形成されており、これらが一方の配線（ここではプラス配線とする）として機能する。同様に、ライト５を中心として、左側の眉部４１ｂおよび左側アーム４３ｂが導電性の材料から一体的に形成されており、これらが他方の配線（ここではマイナス配線とする）として機能する。右側の眉部４１ａ（および右側アーム４３ａ）と、左側の眉部４１ｂ（および左側アーム４３ｂ）とは、端部同士が離間して配置され、互いに絶縁されている。なお、ここでは、眼鏡を装着した状態で正面から右側に位置するものを右側の眉部４１ａおよび右側アーム４３ａと称し、左側に位置するものを左側の眉部４１ｂおよび左側アーム４３ｂと称して区別している。ただし、これは便宜上の呼び方であり、使用に際する特定の位置や方向を意図しないことは言うまでもない。
【００７４】
図８（ａ）および８（ｂ）は、ライト５と導電性の眉部４１ａ、４１ｂとの接続部分（図７に示す破線の丸Ｙで示す部分）を拡大して示す。ライト５と導電性の眉部４１ａ、４１ｂの端部とは、フレーム接続部材４７において接続されている。フレーム接続部材４７は、絶縁性の材料（例えば樹脂材料）などから形成されており、導電性のフレーム４１（右側眉部４１ａ、左側眉部４１ｂ）に取り付けられている。
【００７５】
フレーム接続部材４７は、フレーム４１を覆う表側面（ライトが取り付けられる面）において右側眉部４１ａ、左側眉部４１ｂを露出させる一対の開口部４７ｎを有している。一対の開口部４７ｎは、眉部４１の延びる方向に沿って、所定の間隔を空けて設けられている。また、右側眉部４１ａと左側眉部４１ｂとを適切に絶縁できるように、フレーム接続部材４７は、これらの間に配される壁部を有していてよい。
【００７６】
図９（ａ）〜（ｃ）は、フレーム４１に取り付けられたフレーム接続部材４７に、ライト接続部材４５を介して、ライト５およびルーペ７を取り付ける例示的な態様を説明するための図である。図９（ａ）に示すように、ライト５およびルーペ７は、ライト接続部材４５に対して任意の態様で固定されている。ライト５およびルーペ７は、角度調整が可能なように、ライト接続部材４５に対して旋回可能に取り付けられていても良い。
【００７７】
図９（ｂ）は、図９（ａ）に示すライト接続部材４５の接続部４５’を図面右方向から見たときの平面図である。ライト接続部材４５の接続部４５’は、ライト５に接続されたプラス端子５ａおよびマイナス端子５ｂを露出させるように構成されている。ライト５と、プラス端子５ａおよびマイナス端子５ｂとは、ライト接続部材４５の内側に配された配線によって電気的に接続されていてよい。プラス端子５ａとマイナス端子５ｂとは、上記のフレーム接続部材４７に設けられた一対の開口部４７ｎ間の間隔と同じ距離だけ離して設けられている。
【００７８】
プラス端子５ａおよびマイナス端子５ｂは、接続部４５’の接続面から突出するように設けられている。プラス端子５ａおよびマイナス端子５ｂは、バネや弾性体を用いて、外側に突出する方向に付勢されていてもよい。このようにすれば、フレーム接続部材４７にライト接続部材４５を取り付けた後に、端子５ａ、５ｂが右側および左側眉部４１ａ、４１ｂに押しつけられるので、電気的接続をより確実に得ることができる。
【００７９】
図９（ｃ）に示すように、フレーム接続部材４７に対してライト接続部材４５の接続部４５’が取り付けられる。フレーム接続部材４７とライト接続部材４５との取り付けは、図に示すような上下の爪により脱離を防止するようにして嵌め付けによって行われても良いし、磁石を用いて行われてもよい。
【００８０】
フレーム接続部材４７に設けられた一対の開口部４７ｎ内で露出する右側眉部４１ａ（プラス配線）の端部と、左側眉部４１ｂ（マイナス配線）の端部とは、接続部４５’において露出するプラス端子５ａとマイナス端子５ｂとにそれぞれ接続される。これによって、ライト５を導電性のフレーム４１と電気的に導通させることができる。
【００８１】
また、フレーム４１の自由端にはバッテリ９と接続するケーブルが取り付けられており、ライト５への電力供給を行うことができる。
【００８２】
以上、実施形態４のライト付き眼鏡型ルーペ１４０について説明したが、眼鏡型ルーペ１４０においても、配線が視界に入らず、軽量コンパクトに構成されているので使用性に優れる。
【００８３】
（実施形態５）
図１０（ａ）は、実施形態５の眼鏡型ルーペ１５０を示す斜視図であり、図１０（ｂ）は図１０（ａ）に示すＸ断面に対応する断面図である。本実施形態の眼鏡型ルーペ１５０は、装着時に、ユーザの眉の近傍を通り顔の前方で水平方向に延びるように配置される眉部５１ａ、５１ｂと、ユーザのこめかみ近傍を通り耳に向けて顔の側方で水平方向に延びるように配置される一対のアーム５３ａ、５３ｂとを含むフレーム５１を備えている。
【００８４】
また、フレーム５１には、他の実施形態と同様に、ライト５およびルーペ７が取り付けられている。ライト５およびルーペ７を取り付ける形態については後述する。
【００８５】
本実施形態において、フレーム５１の少なくとも一部が導電性の材料から形成されており、これがライト５の配線として機能する。より具体的には、本実施形態では、ライト５から右側の眉部５１ａおよび右側アーム５３ａは、絶縁部材５３３を間に挟んで一体化された２つの導電性部材５３１、５３２を用いて構成されている。上記の２つの導電性部材５３１、５３２のうちの一方の導電性部材５３１が、ライト５の一方の配線（ここではプラス配線とする）として機能する。同様に、他方の導電性部材５３２が、ライト５の他方の配線（ここではマイナス配線とする）として機能する。この構成において、２つの導電性部材５３１、５３２は、いずれも、ライト５が取り付けられる位置から、右側眉部５１ａ、右側アーム５３ａを通って、右側アーム５３ａの自由端まで延びるように設けられている。
【００８６】
図１１（ａ）および（ｂ）は、ライト５と導電性の右側眉部５１ａとの接続部分（図１０に示す破線の丸Ｙで示す部分）を拡大して示す。ライト５と導電性の右側眉部５１ａとは、フレーム接続部材５７において接続されている。フレーム接続部材５７は、絶縁性の材料（例えば樹脂材料）などから形成され、フレーム５１に取り付けられている。
【００８７】
フレーム接続部材５７は、フレーム５１を覆う表側面（ライトが取り付けられる面）において、右側眉部５１ａを構成する２つの導電性部材５３１、５３２を露出させる一対の開口部５７ｎを有している。一対の開口部５７ｎは、眉部５１ａの延びる方向と直交する方向に沿って、所定の間隔を空けて設けられている。
【００８８】
このように構成されたフレーム接続部材５７に対して、ライト５およびルーペ７は、実施形態４において説明したライト接続部材４５（図９参照）と同様の部材を用いて取り付けることができる。ただし、本実施形態では、２つの導電性部分５３１、５３２をそれぞれ露出させる一対の開口部５７ｎが縦方向に並んでいるので、これと適合するように、ライト接続部材において一対のライト端子（図９（ｂ）に示すプラス端子５ａおよびマイナス端子５ｂ）が縦方向に並べて配置されている。
【００８９】
なお、本実施形態においても、ライト５およびルーペ７は、ライト接続部材に対して任意の態様で固定されていてよく、ライト５およびルーペ７は、角度調整が可能なように、ライト接続部材に対して旋回可能に取り付けられていても良い。また、フレーム接続部材５７とライト接続部材との取り付けも、実施形態４と同様に、嵌め付けによって行われても良いし、磁石を用いて行われてもよい。
【００９０】
以上、実施形態５のライト付き眼鏡型ルーペ１５０について説明したが、眼鏡型ルーペ１５０においても、配線が視界に入らず、軽量コンパクトに構成されているので使用性に優れる。
【００９１】
また、本実施形態５では、フレーム５１の片側のアーム５３ａの自由端から、プラス用とマイナス用の２本のケーブルが外側にまとまって配されるので、外側のケーブルをまとめやすく、外部のバッテリ（図示せず）との接続をより簡単に行い得る。
【００９２】
なお、上記には１つのライト５が眉部の中央部分に設けられる態様を説明したが、これに限られず、複数のライトが他の位置に設けられていても良い。例えば、図１２（ａ）に示すように、２つのライト５Ａ、５Ｂが、眉部とアームとの接続領域においてそれぞれ設けられていても良い。２つのライト５Ａ、５Ｂの駆動電圧が同様であれば、これらを直接接続することが可能である。もちろん３つ以上のライトを設けても良い。これによって、より高照度な態様とすることができる。
【００９３】
また、取り付ける機器の駆動電圧が異なる場合であっても、機器側に昇圧または高圧回路を設ければ、フレームに任意の機器を２つ以上接続することが可能である。例えば、図１２（ｂ）に示すように、ライト５以外に、近接センサ５５をアームの位置に取り付けることも可能である。
【００９４】
（実施形態６）
図１３（ａ）は、実施形態６の眼鏡型ルーペ１６０を示す斜視図であり、図１３（ｂ）および（ｃ）は、図１３（ａ）に示すＸ断面に対応する断面図であり、それぞれ別の態様を示す。本実施形態の眼鏡型ルーペ１６０は、右側眉部６１ａおよび右側アーム６３ａにおいて、２系統の導電性部分（配線と呼ぶことがある）が設けられている点で、実施形態５の眼鏡型ルーペ１５０と異なっている。なお、図示する態様では、左側眉部６１ａおよび左側アーム６３ａにも配線が設けられているように示されているが、左側眉部６１ａおよび左側アーム６３ａには配線が設けられていなくてもよい。
【００９５】
眼鏡型ルーペ１６０では、２系統の配線（導電性部分）が、フレーム６１に取り付けられるライト５と、センサユニット（近接センサ）６５とに割り振られている。図１３（ｂ）に示すように、フレーム６１には、第１の系統のプラス配線６３１およびマイナス配線６３２と、第２の系統のプラス配線６３３およびマイナス配線６３４とが、絶縁部材６３５を介してそれぞれ絶縁して設けられている。それぞれの系統のプラス配線およびマイナス配線は、ライト５およびセンサユニット６５にそれぞれ接続されている。
【００９６】
なお、ライト５およびセンサユニット６５とフレーム６１との接続は、実施形態４および５と同様に、配線を露出させる開口部を有するフレーム接続部材と、この露出部分に接続できるように端子が設けられた各機器の接続部材とを用いて行うことができる。
【００９７】
この構成において、駆動電圧が異なる電気機器であっても、別個の配線によりそれぞれ適切な動作電圧で駆動することができるので、電気機器側に昇圧または高圧回路を含める必要がなくなり、小型化、軽量化を達成できる。
【００９８】
また、図１３（ｃ）に示すように、電源用の系統とデータ通信用の系統とを有するＵＳＢ端子に適合するように、配線を構成してもよい。図１３（ｃ）に示す態様では、ＵＳＢ端子の構成に併せて、電源（Ｖｂｕｓ）ピンに接続される配線６４１、Ｄ−ピンに接続される配線６４３、Ｄ＋ピンに接続される配線６４４、グランド（ＧＮＤ）ピンに接続される配線６４２が、絶縁部材６３５によってそれぞれ互いに絶縁された状態でまとめられてフレームが構成されている。このようにＵＳＢ端子に適合した配線とすることで、モバイルカメラなどＵＳＢ接続可能な様々な機器を取り付けて利用することができる。
【００９９】
（実施形態７）
以下、実施形態７として、その他の実施形態を説明する。
【０１００】
図１４（ａ）は、ライト５のためのバッテリ７２と、センサユニット５５のためのバッテリ７２’とを、フレーム７１が備える２つのアームの自由端近傍にそれぞれ設ける態様を示す。フレーム７１は、図１０（ａ）および（ｂ）に示した実施形態５と同様の構成を有していてよい。ライト５は、左側眉部および左側アームを介してバッテリ７２に接続され、センサユニット５５は右側アームを介してバッテリ７２’に接続されている。なお、この態様では、左側眉部と右側アームとは、任意の態様で絶縁されていてよい。このように、バッテリがフレームと直接接続されている（組み込まれている）構成では、構成が簡単になり、持ち運びや装着した状態での移動などが容易になり、利便性が高くなる。
【０１０１】
また、図１４（ｂ）に示すように、片側のアームの自由端近傍に各種通信用機器（ＧＰＳ機器、Ｂｌｕｅｔｏｏｔｈ（登録商標）機器）や記憶装置（ＵＳＢメモリ等）などの別機器７３を設けるようにしてもよい。別機器７３は機器用バッテリ７２’に接続され、ライト５は、ライト用バッテリ７２に接続される。
【０１０２】
また、図１４（ｃ）に示すように、図５に示した実施形態３と同様の構成を有するフレーム８１を用いて、ライト５からの配線を、アームの自由端近傍に設けられたライト用バッテリ８２に接続する態様であってもよい。
【０１０３】
さらに、図１４（ｄ）に示すように、ライトの代わりに表示装置（液晶ディスプレイなど）６をフレーム８１に取り付け、表示装置６のための配線８３をフレームに沿って保持させる態様であってもよい。表示装置６から延びる配線８３は、アーム自由端近傍に設けられたバッテリ８２に接続されていてよい。
【０１０４】
以上に説明した態様では、バッテリがフレームに搭載されているので、フレームから延びるケーブルを必要とせず、持ち運びや装着した状態での移動などが容易になり、利便性が高くなる。
【０１０５】
以上、実施形態１〜７の頭部装着型デバイスを説明したが、種々の改変が可能である。例えば、頭部装着型デバイスは、表示素子を備え、表示素子からの映像を導光板に虚像として表示させるヘッドマウントディスプレイであってもよい。ヘッドマウントディスプレイでは、表示素子に接続される配線（例えば、映像信号線）が、フレームのアームに沿って着脱可能に保持されるか、あるいは、フレームを構成する導電性部分が表示素子の配線として利用される。
【０１０６】
本明細書は、以下の項目に記載の頭部装着型デバイスを開示している。
【０１０７】
[項目１]
装着時に、ユーザの眉の近傍を通って延びるように配置される眉部、および、前記眉部に接続され、前記ユーザのこめかみ近傍を通って前記ユーザの耳に向けて延びるように配置されるアームを有するフレームと、
前記フレームに支持された電気機器と、
前記電気機器に接続された配線と
を備え、
前記配線が、前記フレームの前記アームに沿って着脱可能に保持されている、頭部装着型デバイス。
項目１の頭部装着型デバイスによれば、使用時に配線が邪魔にならず、また、必要に応じて配線を取り外すこともできる。
【０１０８】
[項目２]
前記フレームの前記アームは、前記アームが延びる方向に沿って延びる溝を有し、前記配線は前記溝に嵌め込まれている、項目１に記載のデバイス。
項目２のデバイスによれば、溝において配線が邪魔にならないように適切に保持され得る。
【０１０９】
[項目３]
前記眉部の両端部のそれぞれに前記アームが対をなして接続されており、
前記対をなすアームのそれぞれに、前記電気機器に接続された一対の配線のそれぞれが着脱可能に保持されている、項目１または２に記載のデバイス。
項目３のデバイスによれば、アームにそれぞれに配線を保持させバランスが良い。
【０１１０】
[項目４]
前記眉部の両端部のそれぞれに前記アームが対をなして接続されており、
前記対をなすアームの一方のみに、前記電気機器に接続された一対の配線が着脱可能に保持されている、項目１または２に記載のデバイス。
項目４のデバイスによれば、一方のアームに一対の配線が保持されるので、アームから外側に引き出される配線の取り回しがより容易な場合がある。
【０１１１】
[項目５]
前記一対の配線を絶縁しながら一体的に覆う配線被覆をさらに有し、前記一対の配線は前記配線被覆に覆われた状態で前記フレームに着脱可能に保持されている、項目４に記載のデバイス。
項目５のデバイスによれば、一対の配線をまとめて保持させることができる。
【０１１２】
[項目６]
前記フレームの前記眉部は、前記眉部が延びる方向に沿って延びる溝を有し、前記配線は前記眉部の溝に嵌め込まれている、項目１から５のいずれかに記載のデバイス。
項目６のデバイスによれば、眉部に取り付けられた電気機器からの配線をより確実に邪魔にならないように保持させることができる。
【０１１３】
[項目７]
装着時に、ユーザの眉の近傍を通って延びるように配置される眉部、および、前記眉部に接続され、前記ユーザのこめかみ近傍を通って前記ユーザの耳に向けて延びるように配置されるアームを有するフレームと、
前記フレームに支持された電気機器とを備え、
前記眉部および前記アームの少なくとも一部は導電性を有し、前記導電性を有する部分が前記電気機器と電気的に接続されている、頭部装着型デバイス。
項目７の頭部装着型デバイスによれば、使用時に配線が邪魔になることがなく、また、軽量コンパクト化が実現できる。
【０１１４】
[項目８]
前記アームは、互いに絶縁された第１の導電性部分と第２の導電性部分とを有し、前記第１の導電性部分と第２の導電性部分とは前記アームの延びる方向に沿って延びている、項目７に記載のデバイス。
項目８のデバイスによれば、２つの配線に対応する導電路が得られる。
【０１１５】
[項目９]
前記第１の導電性部分はプラス配線に対応づけられ、前記第２の導電性部分はマイナス配線に対応付けられている、項目８に記載のデバイス。
項目９のデバイスによれば、電気機器に接続されるプラス配線およびマイナス配線が得られる。
【０１１６】
[項目１０]
前記アームは、互いに絶縁された第３の導電性部分と第４の導電性部分とを有し、前記第３の導電性部分と第４の導電性部分とは、前記第１の導電性部分および前記第２の導電性部分とは別の系統の配線として用いられる、項目８または９に記載のデバイス。
項目１０のデバイスによれば、４つの配線に対応した構成が得られる。
【０１１７】
[項目１１]
前記電気機器は、照明機器または表示機器のいずれかである、項目１から１０のいずれかに記載のデバイス。
項目１１のデバイスによれば、照明装置や表示機器がフレームに支持された頭部装着型デバイスが実現される。
【０１１８】
[項目１２]
前記フレームに支持され、装着時に前記ユーザの眼前に配置可能な透光性板部材をさらに備え、
前記電気機器は照明機器である、項目１１に記載のデバイス。
項目１２のデバイスによれば、ヘッドライト付きで透光性板部材を介して物を見ることができるデバイスが得られる。
【０１１９】
[項目１３]
前記アームは、前記ユーザの耳の近傍に配置される自由端を有し、前記自由端の近傍においてフレームによって支持されたバッテリをさらに備える、項目１から１２のいずれかに記載のデバイス。
項目１３のデバイスによれば、バッテリを別の場所に必要とせず、利便性が向上する。
【産業上の利用可能性】
【０１２０】
本発明の実施形態による頭部装着型デバイスは、例えば、ライト付き眼鏡型ルーペやヘッドマウントディスプレイなどの頭部に装着する種々のデバイスとして好適に用いられる。
【符号の説明】
【０１２１】
１  フレーム
１ａ  眉部
１ｂ  アーム
１Ｇ  溝
３  配線
３ａ  プラス配線
３ｂ  マイナス配線
５  ライト
５ａ  プラス端子
５ｂ  マイナス端子
６  表示装置
７  ルーペ
９  バッテリー
４１ａ、４１ｂ  導電性の眉部
４３ａ、４３ｂ  導電性のアーム
４５  ライト接続部材
４５’  接続部
４７  フレーム接続部材
４７ｎ  開口部
５５  近接センサ
１００  ライト付き眼鏡型ルーペ  （頭部装着型デバイス）
【図１】
2017037225.tif 000003
【図２】
2017037225.tif 000004
【図３】
2017037225.tif 000005
【図４】
2017037225.tif 000006
【図５】
2017037225.tif 000007
【図６】
2017037225.tif 000008
【図７】
2017037225.tif 000009
【図８】
2017037225.tif 000010
【図９】
2017037225.tif 000011
【図１０】
2017037225.tif 000012
【図１１】
2017037225.tif 000013
【図１２】
2017037225.tif 000014
【図１３】
2017037225.tif 000015
【図１４】
2017037225.tif 000016